(57)【要約】【課題】監視領域に侵入者があった場合は、正確に侵入者があることをユーザに知らせることができる情報記録再生装置を提供する。【解決手段】カメラ監視モードに設定されたとき、カメラからの入力映像信号による入力映像信号波形データと、予めメモリに格納された基準映像信号波形データとが比較され、カメラからの入力映像信号に変化が有るか無いかが判定される。カメラからの入力映像信号に変化が有ると判定されたときには、当該入力映像信号の走査線の変化本数が、複数の監視段階のうちでユーザ操作により設定された監視段階に対応する設定走査線変化本数を超えるか否かが判定される。カメラからの入力映像信号の走査線の変化本数が設定走査線変化本数を超えたと判定されたときに、警告信号が発生する。これにより、侵入者を知ることができる。【選択図】図２
2008053987.tif 000002
【特許請求の範囲】
【請求項１】
記録媒体に対して情報の記録／再生を行うと共に、カメラからの映像信号を入力して所定処理し監視映像を記録媒体に記録可能な構成を有する情報記録再生装置において、
予め前記カメラからの映像信号を入力して映像信号の走査線が変化の無い状態でのデジタルの映像信号波形データを基準映像信号波形データとしてメモリに格納しておく基準映像信号波形データ格納手段と、
カメラ監視モードに設定され前記カメラからの映像信号を入力してデジタル変換した入力映像信号波形データを前記メモリに格納されている基準映像信号波形データと比較することにより前記カメラからの入力映像信号に変化が有るか無いかを判定する入力映像変化有無判定手段と、
前記カメラからの入力映像信号に変化が有ると判定されたときに、当該入力映像信号の走査線の変化本数が、複数の監視段階のうちでユーザ操作により設定された監視段階に対応する設定走査線変化本数を超えるか否かを判定する走査線変化本数判定手段と、
当該入力映像信号の走査線の変化本数が設定走査線変化本数を超えたと判定されたときに、警告信号を発生する警告信号発生手段と、を有する映像変化検出部を備えたことを特徴とする情報記録再生装置。
【請求項２】
記録媒体に対して情報の記録／再生を行うと共に、カメラからの映像信号を入力して所定処理し監視映像を記録媒体に記録可能な構成を有する情報記録再生装置において、
前記カメラからの入力映像信号に変化が有ると判定したときに、当該入力映像信号の走査線の変化本数が、複数の監視段階のうちでユーザ操作により設定された監視段階に対応する設定走査線変化本数を超えるか否かを判定し、当該入力映像信号の走査線の変化本数が設定走査線変化本数を超えたと判定したときに、警告信号を発生するように構成された映像変化検出部を備えたことを特徴とする情報記録再生装置。
【請求項３】
前記映像変化検出部は、カメラ監視モードに設定され前記カメラからの映像信号を入力してデジタル変換した入力映像信号波形データを予め設定される基準映像信号波形データと比較することにより前記カメラからの入力映像信号に変化が有るか無いかを判定する入力映像変化有無判定手段と、前記カメラからの入力映像信号に変化が有ると判定されたときに当該入力映像信号の走査線の変化本数が、複数の監視段階のうちでユーザ操作により設定された監視段階に対応する設定走査線変化本数を超えるか否かを判定する走査線変化本数判定手段と、当該入力映像信号の走査線の変化本数が設定走査線変化本数を超えたと判定されたときに警告信号を発生する警告信号発生手段とを有することを特徴とする請求項２に記載の情報記録再生装置。
【請求項４】
前記予め設定される基準映像信号波形データは、前記カメラからの映像信号を入力して映像信号の走査線が変化の無い状態でのデジタルの映像信号波形データを基準映像信号波形データとしてメモリに格納しておく基準映像信号波形データ格納手段により得られた前記メモリ内の基準映像信号波形データであることを特徴とする請求項３に記載の情報記録再生装置。
【発明の詳細な説明】
【技術分野】
【０００１】
本発明は、記録媒体に対して情報の記録／再生を行うと共に、カメラからの映像信号を入力して所定処理し監視映像を記録媒体に記録可能な構成を有する情報記録再生装置に関する。
【背景技術】
【０００２】
従来から、大規模な建造物の監視、工場構内の監視、ダムや送電施設の監視、トンネルの監視などを行うセキュリティシステムにおいては、広域に設置された複数の監視用カメラと、これら監視用カメラと専用回線を介して接続されたセンター監視装置とを備え、センター監視装置で現場の状況を監視し、また、その状況の画像を記録媒体に記録させている。
【０００３】
しかし、このようなセキュリティシステムは、構成が大掛かりで高価になり、一般の家庭には適さない。そこで、ＤＶＤレコーダやハードディスクレコーダなどの情報記録再生装置に市販のカメラを接続することが可能になるように構成し、カメラを監視場所に設置した場合、カメラによる監視画像を情報記録再生装置に記録できるようにする撮像システムが要望される。
【０００４】
そこで、特許文献１に記載の監視装置では、カメラで撮像された被写体の複数の走査線の映像信号をデジタル変換し、この変換された映像信号波形データ（本件で言う入力映像信号波形データに相当）と、予め設定されている映像信号波形基準データ（本件で言う基準映像信号波形データに相当）の検出許容範囲の上限値または下限値と比較し、被写体の画像の変化の有無を検出して、カメラで監視されている領域に侵入者が居るか居ないかを判別している。
【０００５】
また、特許文献２に記載の監視装置では、ドア監視カメラにより過去に撮影された基準画像データと、最近に撮影された現画像データとを比較し、基準画像データの全画素数に対して画像データを変化した画素の数が一定の割合を超えた時、異常が発生した旨の通知を携帯電話などに通知または表示端末に表示している。
【特許文献１】特開２００２−２８８６７３号公報
【特許文献２】特開２００２−３１２８７６号公報
【発明の開示】
【発明が解決しようとする課題】
【０００６】
しかしながら、特許文献１に記載の監視装置では、映像信号波形データ（本件で言う入力映像信号波形データに相当）と、映像信号波形基準データ（本件で言う基準映像信号波形データに相当）の検出許容範囲の上限値または下限値と比較し、被写体の画像の変化の有無を検出して、カメラで監視されている領域に侵入者が居るか居ないかを判別しているので、例えば、深夜の庭を監視する場合、深夜に立ち入ることのない駐車場を監視する場合、その他の監視領域を監視する場合に、風による木々の揺れや枯葉の動きなどの些細な変化に対しても、誤判別する場合があり、これにより、監視領域に侵入者があった場合は、正確に侵入者があることをユーザに知らせることができないと言う課題が生じる。要するに、この従来技術は、監視段階（監視感度）が複数段階になっていないので、前記課題を解決することができない。
【０００７】
また、特許文献２に記載の監視装置では、基準画像データと現画像データとを比較し、基準画像データの全画素数に対して画像データを変化した画素の数が一定の割合を超えた時、異常が発生した旨の通知を携帯電話などに通知または表示端末に表示しているが、この従来技術も、例えば、深夜の庭を監視する場合、深夜に立ち入ることのない駐車場を監視する場合、その他の監視領域を監視する場合に、風による木々の揺れや枯葉の動きなどの些細な変化に対しても、誤判別する場合があり、これにより、監視領域に侵入者があった場合は、正確に侵入者があることをユーザに知らせることができないと言う課題が生じる。要するに、この従来技術も、監視段階（監視感度）が複数段階になっていないので、前記課題を解決することができない。
【０００８】
本発明は、上記のような課題を解決するためになされたもので、監視領域での些細な変化では、誤判別しないように監視段階を設定できるようにすることにより、監視領域に侵入者があった場合は、正確に侵入者があることをユーザに知らせることができる情報記録再生装置を提供することを目的とする。
【課題を解決するための手段】
【０００９】
上記目的を達成するために、請求項１の発明は、予めカメラからの映像信号を入力して映像信号の走査線が変化の無い状態でのデジタルの映像信号波形データを基準映像信号波形データとしてメモリに格納しておく基準映像信号波形データ格納手段と、カメラ監視モードに設定され前記カメラからの映像信号を入力してデジタル変換した入力映像信号波形データを前記メモリに格納されている基準映像信号波形データと比較することにより前記カメラからの入力映像信号に変化が有るか無いかを判定する入力映像変化有無判定手段と、前記カメラからの入力映像信号に変化が有ると判定されたときに、当該入力映像信号の走査線の変化本数が、複数の監視段階のうちでユーザ操作により設定された監視段階に対応する設定走査線変化本数を超えるか否かを判定する走査線変化本数判定手段と、当該入力映像信号の走査線の変化本数が設定走査線変化本数を超えたと判定されたときに、警告信号を発生する警告信号発生手段と、を有する映像変化検出部を備えたことを特徴とする情報記録再生装置を提供する。
【００１０】
この構成において、先ず、カメラ監視モードに設定する前に、基準映像信号波形データ格納手段は、カメラからの映像信号を入力して映像信号の走査線が変化の無い状態でのデジタルの映像信号波形データを基準映像信号波形データとして基準映像メモリに格納する。そして、カメラ監視モードに設定されたとき、入力映像変化有無判定手段は、カメラからの入力映像信号による入力映像信号波形データと前記基準映像信号波形データとを比較し、カメラからの入力映像信号に変化が有るか無いかを判定する。
【００１１】
カメラからの入力映像信号に変化が無いと判定されたときは、警告を行わないが、カメラからの入力映像信号に変化が有ると判定されたときには、走査線変化本数判定手段は、当該入力映像信号の走査線の変化本数が、複数の監視段階のうちでユーザ操作により設定された監視段階に対応する設定走査線変化本数を超えるか否かを判定する。カメラからの入力映像信号の走査線の変化本数が設定走査線変化本数を超えたと判定されたときに、警告信号発生手段は、警告信号を発生する。
【００１２】
この構成によれば、警告段階を複数段階にしたので、例えば、深夜の庭を監視する場合、深夜に立ち入ることのない駐車場を監視する場合、その他の監視領域を監視する場合に、風による木々の揺れや枯葉の動きなどの些細な変化に対しては、誤判別しないように、警告段階を設定することができ、これにより、監視領域に侵入者があった場合に、正確に侵入者があることをユーザに知らせることができる。
【００１３】
請求項２の発明は、カメラからの入力映像信号に変化が有ると判定したときに、当該入力映像信号の走査線の変化本数が、複数の監視段階のうちでユーザ操作により設定された監視段階に対応する設定走査線変化本数を超えるか否かを判定し、当該入力映像信号の走査線の変化本数が設定走査線変化本数を超えたと判定したときに、警告信号を発生するように構成された映像変化検出部を備えたことを特徴とする情報記録再生装置を提供する。
【００１４】
この構成において、カメラからの入力映像信号に変化が有り、当該入力映像信号の走査線の変化本数が、複数の監視段階のうちでユーザ操作により設定された監視段階に対応する設定走査線変化本数を超えたとき、警告信号が発生する。
【００１５】
この構成によれば、警告段階を複数段階にしたので、例えば、深夜の庭を監視する場合、深夜に立ち入ることのない駐車場を監視する場合、その他の監視領域を監視する場合に、風による木々の揺れや枯葉の動きなどの些細な変化に対しては、誤判別しないように、警告段階を設定することができ、これにより、監視領域に侵入者があった場合に、正確に侵入者があることをユーザに知らせることができる。
【００１６】
請求項３の発明では、請求項２の発明において、前記映像変化検出部は、カメラ監視モードに設定され前記カメラからの映像信号を入力してデジタル変換した入力映像信号波形データを予め設定される基準映像信号波形データと比較することにより前記カメラからの入力映像信号に変化が有るか無いかを判定する入力映像変化有無判定手段と、前記カメラからの入力映像信号に変化が有ると判定されたときに当該入力映像信号の走査線の変化本数が、複数の監視段階のうちでユーザ操作により設定された監視段階に対応する設定走査線変化本数を超えるか否かを判定する走査線変化本数判定手段と、当該入力映像信号の走査線の変化本数が設定走査線変化本数を超えたと判定されたときに警告信号を発生する警告信号発生手段とを有する。
【００１７】
したがって、前記映像変化検出部は、入力映像変化有無判定処理、走査線変化本数判定処理、および警告信号発生処理を実現でき、これにより、警告段階を複数段階にすることが可能になり、誤判別しないように警告段階を設定することができるようになる。
【００１８】
請求項４の発明では、請求項３の発明において、前記予め設定される基準映像信号波形データは、前記カメラからの映像信号を入力して映像信号の走査線が変化の無い状態でのデジタルの映像信号波形データを基準映像信号波形データとしてメモリに格納しておく基準映像信号波形データ格納手段により得られた前記メモリ内の基準映像信号波形データであるので、基準映像信号波形データを予め設定することが可能になり、この基準映像信号波形データに対して入力映像信号波形データを比較することにより、カメラからの入力映像信号の変化を検出することが可能になる。
【発明の効果】
【００１９】
以上のように本発明によれば、予めカメラからの映像信号を入力して映像信号の走査線が変化の無い状態でのデジタルの映像信号波形データを基準映像信号波形データとしてメモリに格納しておく基準映像信号波形データ格納手段と、カメラ監視モードに設定され前記カメラからの映像信号を入力してデジタル変換した入力映像信号波形データを前記メモリに格納されている基準映像信号波形データと比較することにより前記カメラからの入力映像信号に変化が有るか無いかを判定する入力映像変化有無判定手段と、前記カメラからの入力映像信号に変化が有ると判定されたときに、当該入力映像信号の走査線の変化本数が、複数の監視段階のうちでユーザ操作により設定された監視段階に対応する設定走査線変化本数を超えるか否かを判定する走査線変化本数判定手段と、当該入力映像信号の走査線の変化本数が設定走査線変化本数を超えたと判定されたときに、警告信号を発生する警告信号発生手段とを有する映像変化検出部を備えたので、警告段階を複数段階にすることができ、これにより、例えば、深夜の庭を監視する場合、深夜に立ち入ることのない駐車場を監視する場合、その他の監視領域を監視する場合に、風による木々の揺れや枯葉の動きなどの些細な変化に対しては、誤判別しないように、警告段階を設定することができ、したがって、監視領域に侵入者があった場合に、正確に侵入者があることをユーザに知らせることができる。
【００２０】
また、本発明によれば、カメラからの入力映像信号に変化が有ると判定したときに、当該入力映像信号の走査線の変化本数が、複数の監視段階のうちでユーザ操作により設定された監視段階に対応する設定走査線変化本数を超えるか否かを判定し、当該入力映像信号の走査線の変化本数が設定走査線変化本数を超えたと判定したときに、警告信号を発生するように構成された映像変化検出部を備えたので、警告段階を複数段階にすることができ、これにより、例えば、深夜の庭を監視する場合、深夜に立ち入ることのない駐車場を監視する場合、その他の監視領域を監視する場合に、風による木々の揺れや枯葉の動きなどの些細な変化に対しては、誤判別しないように、警告段階を設定することができ、したがって、監視領域に侵入者があった場合に、正確に侵入者があることをユーザに知らせることができる。
【発明を実施するための最良の形態】
【００２１】
以下、添付図面を参照しつつ、本発明の実施の形態について説明する。図１は本発明の一実施形態に係る情報記録再生装置の構成を示すブロック図である。この情報記録再生装置は、ハードディスクレコーダまたはＤＶＤレコーダ、あるいはハードディスクレコーダとＤＶＤレコーダとの複合機であっても良い。したがって、以下で説明する記録媒体１２は、ハードディスクまたはＤＶＤである。
【００２２】
図１において、情報記録再生装置１は、Ａ／Ｄ（アナログ／デジタル）変換回路２、ＦＩＦＯ（First In/First Out）メモリ３、同期信号分離回路４、発振回路５、メモリ制御回路６、映像変化検出部７、基準映像メモリ８、警告手段９、カメラ映像信号処理回路１０、記録再生処理部１１、記録媒体１２、システムコントローラ１３、操作部１４、およびチューナ１５などを備えている。
【００２３】
特に、映像変化検出部７は、予めカメラ１６からの映像信号を入力して映像信号の走査線が変化の無い状態でのデジタルの映像信号波形データを基準映像信号波形データとして基準映像メモリ８に格納しておく基準映像信号波形データ格納手段７１と、操作部１４の操作によりカメラ監視モードに設定されカメラ１６からの映像信号を入力してデジタル変換した入力映像信号波形データを基準映像メモリ８に格納されている基準映像信号波形データと比較することによりカメラ１６からの入力映像信号に変化が有るか無いかを判定する入力映像変化有無判定手段７２と、カメラ１６からの入力映像信号に変化が有ると判定されたときに、当該入力映像信号の走査線の変化本数が、複数の監視段階のうちでユーザ操作により設定された監視段階に対応する設定走査線変化本数を超えるか否かを判定する走査線変化本数判定手段７３と、当該入力映像信号の走査線の変化本数が設定走査線変化本数を超えたと判定されたときに、警告信号を発生する警告信号発生手段７４とを有する。なお、基準映像メモリ８としては、図示しないが、情報記録再生装置１に元々設けられている映像用メモリの或る領域を使用すれば、新たに設ける必要がない。
【００２４】
このように構成された情報記録再生装置１において、Ａ／Ｄ変換回路２は、カメラ１６から入力されたアナログ映像信号をデジタル映像信号に変換する。ＦＩＦＯメモリ３は、Ａ／Ｄ変換回路２からのデジタル映像信号を入力映像信号波形データとして記憶する。同期信号分離回路４は、カメラ１６からの映像信号に含まれる垂直同期信号と水平同期信号と分離して、垂直同期信号と水平同期信号とを出力する、メモリ制御回路６は、同期信号分離回路４からの垂直同期信号と水平同期信号とを入力して、これらの同期信号に同期してＦＩＦＯメモリ３への書き込み制御信号の書き込みクロック信号と書き込みアドレスリセット信号とを出力する。また、メモリ制御回路６は、映像変化検出部７からの読み出し制御信号に対し、読み出しクロック信号と読み出しアドレスリセット信号を出力する。発振回路５は、Ａ／Ｄ変換クロック信号とメモリ制御クロック信号を出力する。
【００２５】
映像変化検出部７は、ＦＩＦＯメモリ３から映像信号波形データを読み出すための読み出し制御信号をメモリ制御回路６へ供給し、読み出されたＦＩＦＯメモリ３の格納された映像信号波形データと、予め基準映像メモリ８に格納されている基準映像信号波形データとを比較して、カメラ１６からの映像信号に変化が有るか無いかを判定する。即ち、映像変化検出部７は、操作部１４の操作によりカメラ監視モードに設定されカメラ１６からの映像信号を入力してデジタル変換した入力映像信号波形データを基準映像メモリ８に格納されている基準映像信号波形データと比較することによりカメラ１６からの入力映像信号に変化が有るか無いかを入力映像変化有無判定手段７２により判定する。
【００２６】
また、映像変化検出部７は、カメラ１６からの入力映像信号に変化が有ると判定されたときに、当該入力映像信号の走査線の変化本数が、複数の監視段階のうちでユーザ操作により設定された監視段階に対応する設定走査線変化本数を超えるか否かを走査線変化本数判定手段７３により判定し、当該入力映像信号の走査線の変化本数が設定走査線変化本数を超えたと判定されたときに、警告信号を警告信号発生手段７４により発生させる。警告手段９は、映像変化検出部７からの警告信号に応答して発光する発光ダイオードや、その警告信号に応答して警告音を発生するブザーなどである。
【００２７】
カメラ映像信号処理回路１０は、カメラ１６からの映像信号を記録再生処理部１１で扱える形式の映像信号に変換する処理を行う。記録再生処理部１１は、チューナ１５で選局して得られたテレビ放送の映像音声信号や、図示しない他の再生機器からの映像音声信号を所定の形式で圧縮して映像音声データとして記録媒体１２に記録したり、記録媒体１２に記録された映像音声データを所定の形式で伸張して映像音声信号として再生したり、あるいはカメラ映像信号処理回路１０からのカメラ映像音声信号を所定の形式で圧縮して映像音声データとして記録媒体１２に記録したりする。この再生された映像音声信号は、モニタ装置１７に供給されて、映像信号によりディスプレイ装置に映像を表示させると共に、音声信号によりスピーカなどから音声を発生させる。システムコントローラ１３は、映像変化検出部７、記録再生処理部１１、チューナ１５、モニタ装置１７などを制御すると共に、リモコンなどの操作部１４からのキー操作による操作信号に応答して各種制御を行う。
【００２８】
図２は本実施形態において情報記録再生装置をカメラ監視モードに設定した場合の処理を説明するためのフローチャートである。このフローチャートおよび図１を参照して情報記録再生装置をカメラ監視モードに設定した場合の処理について説明する。
【００２９】
先ず、カメラ監視モードに設定する前に、カメラ１６により監視する場所を撮像した静止画の映像信号を取り込んで、基準映像メモリ８に基準映像信号波形データを格納しておく必要がある。そのため、映像変化検出部７の基準映像信号波形データ格納手段７１は、カメラ１６からの映像信号を入力して映像信号の走査線が変化の無い状態でのデジタルの映像信号波形データを基準映像信号波形データとして基準映像メモリ８に格納する。即ち、カメラ１６からの映像信号をＡ／Ｄ変換回路２でデジタル変換し、このデジタル映像信号をＦＩＦＯメモリ３に入力映像信号波形データとして記憶するが、この入力映像信号波形データの内の変化のないデータを基準映像信号波形データとして基準映像メモリ８に格納する。
【００３０】
このように基準映像メモリ８に基準映像信号波形データが格納された後、操作部１４の操作によりカメラ監視モードに設定されたことを、システムコントローラ１０が検知すると（ステップＳ１）、システムコントローラ１０は、情報記録再生装置１の動作モードをカメラ監視モードに設定する。これにより、カメラ１６からの映像信号を入力して（ステップＳ２）、この入力映像信号をＡ／Ｄ変換回路２でＡ／Ｄ変換する（ステップＳ３）。そして、メモリ制御回路６は、ＦＩＦＯメモリ３を書き込み動作させ、前記Ａ／Ｄ変換されたデジタルの入力映像信号を入力映像信号波形データとしてＦＩＦＯメモリ３に格納させる。
【００３１】
映像変化検出部７の入力映像変化有無判定手段は、メモリ制御回路６を制御して、ＦＩＦＯメモリ３を読み出し動作させ、ＦＩＦＯメモリ３から入力映像信号波形データを読み出すと共に、基準映像メモリ８から基準映像信号波形データを読み出し、前記入力映像信号波形データと前記基準映像信号波形データとを比較し（ステップＳ４）、カメラ１６からの入力映像信号に変化が有るか無いかを判定する（ステップＳ５）。
【００３２】
カメラ１６からの入力映像信号に変化が無いと判定されたときは、警告を行わないが、カメラ１６からの入力映像信号に変化が有ると判定されたときには、映像変化検出部７の走査線変化本数判定手段７３は、当該入力映像信号の走査線の変化本数が、複数の監視段階のうちでユーザによる操作部１４の操作により設定された監視段階に対応する設定走査線変化本数を超えるか否かを判定する（ステップＳ６）。なお、走査線変化本数の検出は、映像信号の走査期間（帰線消去信号と帰線消去信号との間の期間）の映像信号が変化しているラインの個数を調べることによって可能である。
【００３３】
例えば、監視段階が５段階に設定されている場合、走査線がＮＴＳＣ方式では全数５２５本であり、そのうちの変化した走査線の本数が、プログレッシブ走査方式の場合、１００本、２００本、３００本、４００本、５００本の５段階を設ける。ここでは、ユーザが操作部１４を操作して、カメラ監視モード設定画面をモニタ装置１７に表示させ、監視段階に対応する走査線の本数を、監視感度の小さい方から順に、監視感度１，２，３，４，５とし、これらの監視感度１，２，３，４，５に対応する走査線の変化本数を、１００本、２００本、３００本、４００本、５００本とする。ステップＳ６では、設定走査線変化本数を２００本に設定されて、監視感度が２になっているとして説明する。
【００３４】
なお、走査方式がインターレース走査方式の場合は、２フィールドで１フレーム（１画面）を構成しているので、１フィールド分の走査線の本数は、プログレッシブ走査方式の半分になるので、監視感度１，２，３，４，５に対応する走査線の変化本数が、５０本、１００本、１５０本、２００本、２５０本となる。
【００３５】
さて、ステップＳ６において、カメラ１６からの入力映像信号の走査線の変化本数が設定走査線変化本数（２００本）を超えたと判定されたときに、映像変化検出部７の警告信号発生手段７４は、警告信号を発生し（ステップＳ７）、これにより、警告手段９は警告を出力する（ステップＳ８）。警告手段９が、発光ダイオードである場合は、発光ダイオードが点灯あるいは点滅し、また、警告手段９が、ブザーである場合は、報知音を発生する。警告手段としては、発光ダイオードやブザーに限ることなく、ユーザに知らせることが可能な光出力手段や音出力手段であれば、何れでも良い。
【００３６】
以上説明したように本実施形態によれば、警告段階を複数段階にしたので、例えば、深夜の庭を監視する場合、深夜に立ち入ることのない駐車場を監視する場合、その他の監視領域を監視する場合に、風による木々の揺れや枯葉の動きなどの些細な変化に対しては、誤判別しないように、警告段階（警告感度）を設定することができ、これにより、監視領域に侵入者があった場合に、正確に侵入者があることをユーザに知らせることができる。
【産業上の利用可能性】
【００３７】
本発明は、監視カメラ付きのＤＶＤレコーダやハードディスクレコーダなどの情報記録再生装置に利用でき、監視領域における監視段階を適切に設定して誤判別することがないようにできる。
【図面の簡単な説明】
【００３８】
【図１】本発明の一実施形態に係る情報記録再生装置の構成を示すブロック図である。
【図２】前記実施形態において情報記録再生装置をカメラ監視モードに設定した場合の処理を説明するためのフローチャートである。
【符号の説明】
【００３９】
１    情報記録再生装置
７    映像変化検出部
１２    記録媒体
１６    カメラ
７１    基準映像信号波形データ格納手段
７２    入力映像変化有無判定手段
７３    走査線変化本数判定手段
７４    警告信号発生手段
【図１】
2008053987.tif 000003
【図２】
2008053987.tif 000004